(57)【要約】【課題】本発明は、光学レンズ分野に関し、レンズモジュールを提供する。【解決手段】レンズモジュールは、鏡筒と、鏡筒内に収容され、物体側から像側へ順に積層して設けられる第１レンズ、第２レンズおよび第３レンズとを含み、第１レンズは、第１光学部と、第１光学部の周囲を周回する第１接続部とを含み、第１接続部の像側面は、第１平面と、第１平面より光軸方向に近接するように延在する第１接合斜面と、第１接合斜面より光軸方向に近接するように延在する第２平面とを含む。本発明に係るレンズモジュールは、レンズと鏡筒との係合精度を向上可能であり、性能を保証できる。【選択図】図１
2020024395.tif 000002
【特許請求の範囲】
【請求項１】
鏡筒と、前記鏡筒内に収容され、物体側から像側へ順に積層して設けられる第１レンズ、第２レンズおよび第３レンズとを含むレンズモジュールであって、
前記第１レンズは、第１光学部と、前記第１光学部の周囲を周回する第１接続部とを含み、前記第１接続部の像側面は、第１平面と、前記第１平面より光軸方向に近接するように延在する第１接合斜面と、前記第１接合斜面より光軸方向に近接するように延在する第２平面とを含み、
前記鏡筒は、前記第１レンズを収容する第１鏡筒と、前記第１鏡筒に接続される第２鏡筒とを含み、前記第１鏡筒は、前記第２鏡筒に固定接続される第１鉛直部と、前記第１鉛直部より前記光軸へ向かって折り曲げて延在する第１水平部とを含み、前記第１水平部の像側に近接する表面は、前記第１接続部の物体側面に固定されて貼り合わせられ、前記第２鏡筒は、前記第１平面と対向して間隔をおいて設けられる第３平面と、前記第３平面より光軸方向に近接するように延在し、前記第１接合斜面に貼り合わせられる第１係合面と、前記第１係合面より光軸方向へ延在する第４平面とを含み、前記第４平面と前記第２平面とは、間隔をおいて設けられ、
前記第２レンズは、第２光学部と、前記第２光学部の周囲を周回する第２接続部とを含み、前記第２接続部の像側面は、第５平面と、前記第５平面より像側へ向かいつつ光軸方向に近接するように延在する第２接合斜面と、前記第２接合斜面より光軸方向に近接するように延在する第６平面とを含み、前記第２鏡筒は、前記第５平面と対向して間隔をおいて設けられる第７平面と、前記第７平面より像側へ向かいつつ光軸方向に近接するように延在し、前記第２接合斜面に貼り合わせられる第２係合面と、前記第２係合面より像側へ向かう、光軸方向に平行となる第８面とを含み、
前記第２鏡筒は、前記第３平面より像側へ窪んだ溝を含み、前記溝には、ゴムリングが設けられ、前記第１レンズは、前記ゴムリングに押圧されるように設けられている、ことを特徴とするレンズモジュール。
【請求項２】
前記第２平面は、前記第２接続部の物体側面に保持されている、ことを特徴とする請求項１に記載のレンズモジュール。
【請求項３】
前記第１接合斜面は、前記第１平面より物体側へ向かいつつ光軸方向に近接するように延在し、前記第１係合面は、前記第３平面より物体側へ向かいつつ光軸方向に近接し、前記第１接合斜面に貼り合わせられている、ことを特徴とする請求項２に記載のレンズモジュール。
【請求項４】
前記第１接合斜面は、前記第１平面より像側へ向かいつつ光軸方向に近接するように延在し、前記第１係合面は、前記第３平面より像側へ向かいつつ光軸方向に近接し、前記第１接合斜面に貼り合わせられている、ことを特徴とする請求項２に記載のレンズモジュール。
【請求項５】
前記第３レンズは、第３光学部と、前記第３光学部の周囲を周回する第３接続部とを含み、前記第２レンズと前記第３レンズとの間には、第１遮光シートが設けられ、前記第１遮光シートは、第６平面と前記第３接続部の物体側面との間に設けられ、前記第８面に当接する、ことを特徴とする請求項１に記載のレンズモジュール。
【請求項６】
前記第３レンズの像側には、第２遮光シートがさらに設けられ、前記第３レンズの像側面は、物体側より像側へ向かいつつ光軸方向に近接するように延在する第３接合斜面を含み、前記第２遮光シートは、前記第３接合斜面に貼り合わせられる第３係合面が設けられている、ことを特徴とする請求項１に記載のレンズモジュール。
【請求項７】
前記第３レンズは、前記第３接合斜面の光軸から離間する端より物体側へ向かいつつ光軸方向から離間するように延在する位置決め面と、前記位置決め面より光軸方向から離間するように延在する第９平面とを含み、前記第２遮光シートは、前記第３係合面の光軸から離間する端より光軸方向から離間するように延在する第１０平面を含み、前記第９平面と前記第１０平面とは、間隔をおいて設けられている、ことを特徴とする請求項６に記載のレンズモジュール。
【請求項８】
前記第１鉛直部と前記第２鏡筒とは、ネジによって接続されている、ことを特徴とする請求項１に記載のレンズモジュール。
【請求項９】
前記ゴムリングは、接着剤注入によって前記溝に固定される、ことを特徴とする請求項１に記載のレンズモジュール。
【発明の詳細な説明】
【技術分野】
【０００１】
本発明は、光学レンズ分野に関し、特にレンズモジュールに関する。
【背景技術】
【０００２】
近年、結像技術の発展および結像機能を有する電子製品の出現に伴い、光学結像レンズは、様々な電子製品に広く適用されており、レンズモジュールが配備された電子製品（例えば、デジタルカメラ、タブレットＰＣ、携帯電話等）に加えて、公衆に使用される交通手段である自動車もレンズモジュールが配備されており、それは車載レンズと呼ばれる。現在では、車載レンズは、一般的に、鏡筒と、鏡筒内に設けられている複数のレンズとを含み、複数のレンズ同士が簡単に積み重ねられることによって鏡筒に組み付けられることは多い。
【０００３】
本発明者らは、従来技術に少なくとも以下の課題が存在することを見出した。従来技術では、レンズ同士がよく簡単な積み重ね方式によって鏡筒に組み付けられるため、レンズと鏡筒との係合精度が高くなくて、レンズモジュールの性能に影響を与えてしまう。
【発明の概要】
【発明が解決しようとする課題】
【０００４】
本発明の目的は、レンズと鏡筒との係合精度を向上可能であり、レンズモジュールの性能を保証できるレンズモジュールを提供することにある。
【課題を解決するための手段】
【０００５】
上記技術問題を解決するために、本発明の実施形態は、レンズモジュールを提供し、当該レンズモジュールは、鏡筒と、鏡筒内に収容され、物体側から像側へ順に積層して設けられる第１レンズ、第２レンズおよび第３レンズとを含み、第１レンズは、第１光学部と、第１光学部の周囲を周回する第１接続部とを含み、第１接続部の像側面は、第１平面と、第１平面より光軸方向に近接するように延在する第１接合斜面と、第１接合斜面より光軸方向に近接するように延在する第２平面とを含み、鏡筒は、第１レンズを収容する第１鏡筒と、第１鏡筒に接続される第２鏡筒とを含み、第１鏡筒は、第２鏡筒に固定接続される第１鉛直部と、第１鉛直部より光軸へ向かって折り曲げて延在する第１水平部とを含み、第１水平部の像側に近接する表面は、第１接続部の物体側面に固定されて貼り合わせられ、第２鏡筒は、第１平面と対向して間隔をおいて設けられる第３平面と、第３平面より光軸方向に近接するように延在し、第１接合斜面に貼り合わせられる第１係合面と、第１係合面より光軸方向へ延在する第４平面とを含み、第４平面と第２平面とは、間隔をおいて設けられ、第２レンズは、第２光学部と、第２光学部の周囲を周回する第２接続部とを含み、第２接続部の像側面は、第５平面と、第５平面より像側へ向かいつつ光軸方向に近接するように延在する第２接合斜面と、第２接合斜面より光軸方向に近接するように延在する第６平面とを含み、第２鏡筒は、第５平面と対向して間隔をおいて設けられる第７平面と、第７平面より像側へ向かいつつ光軸方向に近接するように延在し、第２接合斜面に貼り合わせられる第２係合面と、第２係合面より像側へ向かう、光軸方向に平行となる第８面とを含み、第２鏡筒は、第３平面より像側へ窪んだ溝を含み、溝には、ゴムリングが設けられ、第１レンズは、ゴムリングに押圧されるように設けられている。
【０００６】
従来技術と比較して、本発明の実施形態では、第１レンズの第１接続部の像側面には、第１平面と、第１平面より光軸方向に近接するように延在する第１接合斜面と、第１接合斜面より光軸方向に近接するように延在する第２平面とが含まれ、鏡筒は、第１レンズを収容する第１鏡筒と、第１鏡筒に接続される第２鏡筒とを含み、第１鏡筒は、第２鏡筒に固定接続される第１鉛直部と、第１鉛直部より光軸へ向かって折り曲げて延在する第１水平部とを含み、第１水平部の像側に近接する表面は、第１接続部の物体側面に固定されて貼り合わせられ、第２鏡筒は、第１平面と対向して間隔をおいて設けられる第３平面と、第３平面より光軸方向に近接するように延在し、第１接合斜面に貼り合わせられる第１係合面と、第１係合面より光軸方向へ延在する第４平面とを含み、第４平面と第２平面とは、間隔をおいて設けられ、第２レンズは、第２光学部と、第２光学部の周囲を周回する第２接続部とを含み、第２接続部の像側面は、第５平面と、第５平面より像側へ向かいつつ光軸方向に近接するように延在する第２接合斜面と、第２接合斜面より光軸方向に近接するように延在する第６平面とを含み、第２鏡筒は、第５平面と対向して間隔をおいて設けられる第７平面と、第７平面より像側へ向かいつつ光軸方向に近接するように延在し、第２接合斜面に貼り合わせられる第２係合面と、第２係合面より像側へ向かう、光軸方向に平行となる第８面とを含むため、従来技術におけるレンズ同士が簡単に積み重ねられることによって鏡筒に組み立てられるのと比較して、第１レンズ、第２レンズと鏡筒との係合精度を向上可能であり、レンズモジュールの性能を保証できる。同時に、第２鏡筒が第１レンズと第２レンズに対して保持位置を提供するため、第１レンズと第２レンズの設計自由度を向上でき、第１レンズと第２レンズに対して異なる曲率および径長さを設計して、異なる製品ニーズを満たす。
【０００７】
また、第２平面は、第２接続部の物体側面に保持されている。
【０００８】
また、第１接合斜面は、第１平面より物体側へ向かいつつ光軸方向に近接するように延在し、第１係合面は、第３平面より物体側へ向かいつつ光軸方向に近接し、第１接合斜面に貼り合わせられている。
【０００９】
また、第１接合斜面は、第１平面より像側へ向かいつつ光軸方向に近接するように延在し、第１係合面は、第３平面より像側へ向かいつつ光軸方向に近接し、第１接合斜面に貼り合わせられている。
【００１０】
また、第３レンズは、第３光学部と、第３光学部の周囲を周回する第３接続部とを含み、第２レンズと第３レンズとの間には、第１遮光シートが設けられ、第１遮光シートは、第６平面と第３接続部の物体側面との間に設けられ、第８面に当接する。
【００１１】
また、第３レンズの像側には、第２遮光シートがさらに設けられ、第３レンズの像側面は、物体側から像側へ向かいつつ光軸方向に近接するように延在する第３接合斜面を含み、第２遮光シートは、第３接合斜面に貼り合わせられる第３係合面が設けられている。
【００１２】
また、第３レンズは、第３接合斜面の光軸から離間する端より物体側へ向かいつつ光軸方向から離間するように延在する位置決め面と、位置決め面より光軸方向から離間するように延在する第９平面とをさらに含み、第２遮光シートは、第３係合面の光軸から離間する端より光軸方向から離間するように延在する第１０平面を含み、第９平面と第１０平面とは、間隔をおいて設けられている。このように設計すれば、第３レンズと遮光板との係合精度を向上できる。
【００１３】
また、第１鉛直部と第２鏡筒とは、ネジによって接続されている。
【００１４】
また、ゴムリングは、接着剤注入によって溝に固定される。平面と遮光板とが間隔をおいて設けられることにより、平面と遮光板との硬い接触または押圧による第３レンズの損傷は、回避できる。
【図面の簡単な説明】
【００１５】
【図１】本発明の第１実施形態に係るレンズモジュールの断面構造模式図である。
【図２】本発明の第１実施形態に係るレンズモジュールの第１レンズ、第２レンズ、第３レンズの断面構造模式図である。
【図３】本発明の第１実施形態に係るレンズモジュールの鏡筒の断面構造模式図である。
【図４】本発明の第１実施形態に係るレンズモジュールの遮光板の断面構造模式図である。
【図５】本発明の第２実施形態に係るレンズモジュールの断面構造模式図である。
【図６】本発明の第２実施形態に係るレンズモジュールの第１レンズの断面構造模式図である。
【図７】本発明の第２実施形態に係るレンズモジュールの鏡筒の断面構造模式図である。
【発明を実施するための形態】
【００１６】
本発明の目的、解決手段およびメリットがより明瞭になるように、以下では、図面を参照しながら本発明の各実施形態を詳細に説明する。しかしながら、本発明の各実施形態において本発明をよりよく理解するために多くの技術詳細を述べることは、当業者に理解され得る。しかし、これらの技術詳細および以下の各実施形態に基づく様々な変更および修正がなくても、本発明の各請求項が保護請求する技術案も実現できる。
【００１７】
本発明の第１実施形態に係るレンズモジュール１００は、図１〜４に示すように、鏡筒１１と、鏡筒１１内に収容され、物体側から像側へ順に積層して設けられる第１レンズ１２、第２レンズ１３、第３レンズ１４とを含む。第１レンズ１２は、第１光学部１２１と、第１光学部１２１の周囲を周回する第１接続部１２２とを含み、第１接続部１２２の像側面１２２１は、第１平面１２２１ａと、第１平面１２２１ａより光軸ＯＯ’方向に近接するように延在する第１接合斜面１２２１ｂと、第１接合斜面１２２１ｂより光軸ＯＯ’に近接するように延在する第２平面１２２１ｃとを含む。鏡筒１１は、第１レンズ１２を収容する第１鏡筒１１１と、第１鏡筒１１１に接続される第２鏡筒１１２とを含み、第１鏡筒１１１は、第２鏡筒１１２に固定接続される第１鉛直部１１１１と、第１鉛直部１１１１より光軸ＯＯ’へ向かって折り曲げて延在する第１水平部１１１２とを含み、第１水平部１１１２の像側に近接する表面は、第１接続部１２２の物体側面１２２２に固定されて貼り合わせられる。第２鏡筒１１２は、第１平面１２２１ａと対向して間隔をおいて設けられる第３平面１１２１と、第３平面１１２１より光軸ＯＯ’方向に近接するように延在し、第１接合斜面１２２１ｂに貼り合わせられる第１係合面１１２２と、第１係合面１１２２より光軸ＯＯ’方向へ延在する第４平面１１２３とを含み、第４平面１１２３と第２平面１２２１ｃとは、間隔をおいて設けられ、第２レンズ１３は、第２光学部１３１と、第２光学部１３１の周囲を周回する第２接続部１３２とを含み、第２接続部１３２の像側面１３２１は、第５平面１３２１ａと、第５平面１３２１ａより像側へ向かいつつ光軸ＯＯ’方向に近接するように延在する第２接合斜面１３２１ｂと、第２接合斜面１３２１ｂより光軸ＯＯ’に近接するように延在する第６平面１３２１ｃとを含み、第２鏡筒１１２は、第５平面１３２１ａと対向して間隔をおいて設けられる第７平面１１２４と、第７平面１１２４より像側へ向かいつつ光軸ＯＯ’方向に近接するように延在し、第２接合斜面１３２１ａに貼り合わせられる第２係合面１１２５と、第２係合面１１２５より像側へ向かいつつ光軸ＯＯ’方向に平行となる第８面１１２６とを含み、第２鏡筒１１２は、第３平面１１２１より像側へ窪んだ溝１１２７を含み、溝１１２７には、ゴムリング１５が設けられ、第１レンズ１２は、ゴムリング１５に押圧されるように設けられている。
【００１８】
従来技術と比較して、本発明の実施形態では、第１レンズ１２の第１接続部１２２の像側面１２２１には、第１平面１２２１ａと、第１平面１２２１ａより光軸ＯＯ’方向に近接するように延在する第１接合斜面１２２１ｂと、第１接合斜面１２２１ｂより光軸ＯＯ’に近接するように延在する第２平面１２２１ｃとを含み、第１鏡筒１１１は、第２鏡筒１１２に固定接続される第１鉛直部１１１１と、第１鉛直部１１１１より光軸ＯＯ’へ向かって折り曲げて延在する第１水平部１１１２とを含み、第１水平部１１１２の像側に近接する表面は、第１接続部１２２の物体側面１２２２に固定されて貼り合わせられ、第２鏡筒１１２は、第１平面１２２１ａと対向して間隔をおいて設けられる第３平面１１２１と、第３平面１１２１より光軸ＯＯ’方向に近接するように延在し、第１接合斜面１２２１ｂに貼り合わせられる第１係合面１１２２と、第１係合面１１２２より光軸ＯＯ’方向へ延在する第４平面１１２３とを含み、第４平面１１２３と第２平面１２２１ｃとは、間隔をおいて設けられ、第２レンズ１３は、第２光学部１３１と、第２光学部１３１の周囲を周回する第２接続部１３２とを含み、第２接続部１３２の像側面１３２１は、第５平面１３２１ａと、第５平面１３２１ａより像側へ向かいつつ光軸ＯＯ’方向に近接するように延在する第２接合斜面１３２１ｂと、第２接合斜面１３２１ｂより光軸ＯＯ’に近接するように延在する第６平面１３２１ｃとを含み、第２鏡筒１１２は、第５平面１３２１ａと対向して間隔をおいて設けられる第７平面１１２４と、第７平面１１２４より像側へ向かいつつ光軸ＯＯ’方向に近接するように延在し、第２接合斜面１３２１ａに貼り合わせられる第２係合面１１２５と、第２係合面１１２５より像側へ向かいつつ光軸ＯＯ’方向に平行となる第８面１１２６とを含むため、従来技術におけるレンズ同士が簡単に積み重ねられることによって鏡筒に組み立てられるのと比較して、第１レンズ１２、第２レンズ１３と鏡筒１１との係合精度を向上可能であり、レンズモジュール１００の性能を保証できる。同時に、第２鏡筒１１２が第１レンズ１２と第２レンズ１３に対して保持位置を提供するため、第１レンズ１２と第２レンズ１３の設計自由度を向上でき、第１レンズ１２と第２レンズ１３に対して異なる曲率および径長さを設計して、異なる製品ニーズを満たす。
【００１９】
以下では、本実施形態のレンズモジュールの詳細を具体的に説明するが、以下の内容は単に理解を容易にするために提供される実現詳細に過ぎず、本方案を実施するための必須なものではない。
【００２０】
具体的に、第２平面１２２１ｃは、第２接続部１３２の物体側面１３２２に保持されている。第２平面１２２１ｃと第２接続部１３２との間の保持により、第１レンズ１２が安定的に鏡筒１１内に設けられる。
【００２１】
さらに、第１接合斜面１２２１ｂは、第１平面１２２１ａより物体側へ向かいつつ光軸ＯＯ’方向に近接するように延在し、第１係合面１１２２は、第３平面１１２１より物体側へ向かいつつ光軸ＯＯ’方向に近接し、第１接合斜面１２２１ｂに貼り合わせられている。
【００２２】
本実施形態では、第３レンズ１４は、第３光学部１４１と、第３光学部１４１の周囲を周回する第３接続部１４２とを含み、第２レンズ１３と第３レンズ１４との間には、第１遮光シート１６が設けられ、第１遮光シート１６は、第６平面１３２１ｃと第３接続部１４１の物体側面１４１１との間に設けられ、第８面１１２６に当接する。
【００２３】
そして、第３レンズ１４の像側には、第２遮光シート１７がさらに設けられ、第３レンズ１４の像側面１４３は、物体側から像側へ向かいつつ光軸ＯＯ’方向に近接するように延在する第３接合斜面１４３１を含み、第２遮光シート１７は、第３接合斜面に１４３１に貼り合わせられる第３係合面１７１が設けられている。このように設計すれば、第３レンズ１４と第２遮光シート１７の係合精度を向上できる。
【００２４】
さらに、第３レンズ１４は、第３接合斜面１４３１の光軸ＯＯ’から離間する端より物体側へ向かいつつ光軸ＯＯ’方向から離間するように延在する位置決め面１４３２と、位置決め面１４３２より光軸ＯＯ’方向から離間するように延在する第９平面１４３３とを含み、第２遮光シート１７は、第３係合面１７１の光軸ＯＯ’から離間する端より光軸ＯＯ’方向から離間するように延在する第１０平面１７２を含み、第９平面１４３３と第１０平面１７２とは、間隔をおいて設けられている。第３レンズ１４と第２遮光シート１７との硬い接触または押圧による第２遮光シート１７または第３レンズ１４の損傷は、回避できる。
【００２５】
なお、第１鉛直部１１１１と第２鏡筒１１２とは、ネジによって接続されている。ネジ係合方式による固定が比較的に強固であり、レンズモジュールの信頼性を向上できる。
【００２６】
そして、ゴムリング１５は、接着剤注入によって溝１１２７に固定される。接着剤注入の固定方式が簡単であり、コストが低い。
【００２７】
本発明の第２実施形態はレンズモジュール２００に関し、第２実施形態は第１実施形態とほぼ同じであり、主な相違点が下記のようになる。第１実施形態において、図１〜４に示すように、第１接合斜面１２２１ｂは、第１平面１２２１ａより物体側へ向かいつつ光軸ＯＯ’方向に近接するように延在し、第１係合面１１２２は、第３平面１１２１より物体側へ向かいつつ光軸ＯＯ’方向に近接し、第１接合斜面１２２１ｂに貼り合わせられている。
【００２８】
その一方、本発明の第２実施形態において、図５〜７に示すように、レンズモジュール２００は、鏡筒２１、第１レンズ２２、第２レンズ２２、第３レンズ２４、ゴムリング２５、第１遮光シート２６および第２遮光シート２７を含み、鏡筒２１は、第１鏡筒２１１と第２鏡筒２１２とを含み、第１接合斜面２２２１ｂは、第１平面２２２１ａより像側へ向かいつつ光軸ＯＯ’方向に近接するように延在し、第１係合面２１２２は、第３平面２１２１より像側へ向かいつつ光軸ＯＯ’方向に近接し、第１接合斜面２２２１ｂに貼り合わせられている。
【００２９】
上記各実施形態は、本発明を実現する具体的な実施例であり、実際の適用において、本発明の精神および範囲を逸脱することなく、形態および詳細において様々な変更がなされ得ることは、当業者には理解され得る。
【図１】
2020024395.tif 000003
【図２】
2020024395.tif 000004
【図３】
2020024395.tif 000005
【図４】
2020024395.tif 000006
【図５】
2020024395.tif 000007
【図６】
2020024395.tif 000008
【図７】
2020024395.tif 000009